(57)【要約】【課題】  マウスの表面を拭くという面倒な作業を不要とし、長期間使用した後に汗、脂等、又、塵、埃等が付着したカバーシートに触れることもないマウス用カバーシートを提供する。【解決手段】  固定シート２の裏面に粘着剤３を塗布すると共に、その粘着剤３に剥離シート４を付着させて、マウス用カバーシートを構成する。固定シート２は、吸湿性、抗菌性を有する材料から形成するのが好ましく、両側に延出する固定用舌片２ａを形成してあるのが好ましい。【選択図】  図１
2008210298.tif 000002
【特許請求の範囲】
【請求項１】
固定シートの裏面に粘着剤を塗布すると共に、その粘着剤に剥離シートを付着させたことを特徴とするマウス用カバーシート。
【請求項２】
前記固定シートは、吸湿性を有する材料から形成したものであることを特徴とする請求項１に記載のマウス用カバーシート。
【請求項３】
前記固定シートは、抗菌性を有する材料から形成したものであることを特徴とする請求項１又は２に記載のマウス用カバーシート。
【請求項４】
前記固定シートは、両側に延出する固定用舌片を形成したものであることを特徴とする請求項１乃至３の何れか１に記載のマウス用カバーシート。
【請求項５】
前記固定シートは、スクロールダイヤル用窓孔を形成したものであることを特徴とする請求項１乃至４の何れか１に記載のマウス用カバーシート。
【発明の詳細な説明】
【技術分野】
【０００１】
本発明は、パーソナルコンピュータ、ワークステーション等の入力装置であるマウスの表面を被覆するマウス用カバーシートに関する。
【背景技術】
【０００２】
ＧＵＩ（Graphical User Interface ）の実用化と共に、パーソナルコンピュータ、ワークステーション等の入力装置として、マウスが大きな役割を担うようになってきた。このマウスは、表面に片方の掌を載置し、親指及び小指で側面を把持し、片手でマウスを水平移動させてマウスポインタを画面の適宜位置に移動させると共に、人差指、中指、薬指等で前部に配置したボタンを押下して選択、実行等の操作を行うようになっている。
【０００３】
そして、パーソナルコンピュータ等を使用している間は、マウスも使用し続けていることになるから、マウスの表面には手指の汗、脂が付着することになる。よって、マウスを長期に亘って使用すると、表面に付着した汗、脂によって不快感を覚えたり、汗、脂によって表面に塵、埃等が付着して汚れたりする。さらには、人の手を介して表面に細菌等が付着すると、極端な場合には、感染症をも発生させかねない。
【０００４】
上記の如く、マウスの表面に汗、脂等が付着して不快である場合、塵、埃等が付着して汚れた場合には、従来は、ティッシュペーパー、柔らかい布等で表面を拭くのが一般的であった。又、細菌等の付着を恐れる場合には、アルコールを湿らせた布等で拭くこともあった。
【０００５】
より衛生的に使用する場合には、マウスの表面に紙製又は布製のカバーシートを被覆させ、カバーシートの上面に掌を載置して、使用することもあった。このようなカバーシートの例として、例えば、吸湿性を有する紙を適宜形状に裁断したカバーシートをクリップによってマウスに固定するものが提案されている（特許文献１参照）。
【０００６】
【特許文献１】特開２００６−１４６８５２号公報
【発明の開示】
【発明が解決しようとする課題】
【０００７】
しかし、汗、脂等が付着して不快である場合、塵、埃等が付着して汚れた場合に、ティッシュペーパー、布等でマウスの表面を拭くのは、面倒な作業であると共に、結構時間もかかるものである。又、拭き取り作業に備えて、ティッシュペーパー、布等を常時用意しておく必要がある。
【０００８】
一方、マウスの表面にカバーシートを被覆させておくのは、マウスの表面を拭く面倒な作業を不要とし、簡便であると共に衛生的ではあるが、長期間使用すると、そのカバーシートの表面に汗、脂等が付着し、塵、埃等が付着して、結局は、カバーシートを交換する必要がある。
【０００９】
特に、パーソナルコンピュータ等が会社、学校、店舗、公共施設等において不特定多数の人間に頻繁に使用される場合には、カバーシートも頻繁に交換する必要があり、作業者にとって面倒であると共に、細菌等の付着によって感染症を発生させる虞れも高いものとなる。
【００１０】
本発明は、かかる従来の問題点に鑑みて為されたものであって、その目的とするところは、汗、脂等が付着して不快である場合、塵、埃等が付着して汚れた場合に、マウスの表面を拭くという面倒な作業を不要とし、長期間使用した後に汗、脂等、又、塵、埃等が付着したカバーシートに触れることもなく、作業者がカバーシートも頻繁に交換する必要もないマウス用カバーシートを提供することにある。
【課題を解決するための手段】
【００１１】
上記目的を達成するために、本発明のマウス用カバーシートは、固定シートの裏面に粘着剤を塗布すると共に、その粘着剤に剥離シートを付着させたことを特徴とする。
【００１２】
前記固定シートは、汗、脂等の吸収を促進し、細菌等の付着を防止するため、吸湿性、抗菌性を有する材料から形成するのが好ましい。
【００１３】
又、前記固定シートは、マウスの側面にも付着して確実に固定されるように、両側に延出する舌片を形成してあるのが好ましい。
【００１４】
さらに、前記固定シートは、マウスのスクロールダイヤルを操作できるように、スクロールダイヤル用窓孔を形成してあるのが好ましい。
【発明を実施するための最良の形態】
【００１５】
以下、本発明のマウス用カバーシートの好適な実施形態について、図面を参照して詳細に説明する。
図１は、本発明のマウス用カバーシートの一実施例の平面図、図２は、図１のマウス用カバーシートの断面図、図３は、図１のマウス用カバーシートをスクロールダイヤルのないマウスに装着した状態を示す斜視図、図４は、図１のマウス用カバーシートをスクロールダイヤルのあるマウスに装着した状態を示す斜視図である。
【００１６】
本発明のマウス用カバーシート１は、図１及び図２に示すように、固定シート２と、固定シート２の裏面に塗布した粘着剤３と、粘着剤３に付着させた剥離シート４と、から構成される。
【００１７】
固定シート２は、上質紙、不織布等を材料として使用し、図１に示すように、適宜形状に裁断してある。
前側部は、略矩形状に裁断してあり、中間部には、両側に延長するように固定用舌片２ａ，２ａを形成してある。後側部は、後端縁に至るまで略矩形状に裁断し、後端縁を円弧状部２ｂとしてある。
前側部の略中央部には、切込線５において離反し、破断線６において接続した切取用舌片２ｃを形成してある。
【００１８】
粘着剤３としては、プラスチック製品であるマウスに容易に接着すると共に、剥離できるように、ゴム系、アクリル系、シリコン系粘着剤を使用している。
【００１９】
剥離シート４は、固定シート２と同一形状に裁断してあり、滑らかな表面を有する上質紙を材料として使用してある。
【００２０】
本発明のマウス用カバーシート１は、以上のような構成であり、以下のようにして使用することができる。
【００２１】
先ず、マウス用カバーシート１の裏面側に付着している剥離シート４を固定シート２から剥離させる。
次に、図３に示すように、スクロールダイヤル１２のないマウスに装着する場合には、固定シート２の前側部をマウス１１のボタン部に当接させ、固定用舌片２ａ，２ａをマウス１１の両側面に当接させ、中間部から後側部をマウス１１の表面に当接させ、固定シート２をよく押圧させてマウス１１に接着、固定する。
【００２２】
次に、図４に示すように、スクロールダイヤル１２のあるマウスに装着する場合には、固定シート２の前側部に形成した切取用舌片２ｃを幅方向に引っ張り、破断線６において切り取って、スクロールダイヤル用窓孔７を形成する。
マウス１１のスクロールダイヤル１２がスクロールダイヤル用窓孔７に位置するようにさせ、以下、上記と同様の手順で、固定シート２をマウス１１に当接させ、よく押圧させてマウス１１に接着、固定する。
【００２３】
本発明のマウス用カバーシート１は、マウス使用時に、使用者によって簡単にマウス１１に装着することができ、マウス使用後には、使用者によって簡単にマウス１１から離反することができる。すなわち、使い捨てすることができる。
よって、ティッシュペーパー、布等でマウス１１の表面を拭くという面倒な作業を必要とせず、ティッシュペーパー、布等を常時用意しておく必要もない。
【００２４】
本発明のマウス用カバーシート１は、マウス使用時毎にマウス１１に接着、固定して、使い捨てするものであるから、長期間使用によって、カバーシートの表面に汗、脂等が付着し、塵、埃等が付着するということもない。
【００２５】
さらに、マウス使用時毎にマウス１１に接着、固定し、使い捨てするものであるから、特に、パーソナルコンピュータ等が不特定多数の人間に頻繁に使用される場合に、細菌等の付着による感染症の発生を効果的に防止することができる。
【００２６】
本発明のマウス用カバーシート１は、固定シート２を上質紙を材料として作製した場合には、固定シート２の表面に各種デザイン、色彩を付した印刷をすることができ、使用時に楽しさ等の興趣を与えることができる。
【図面の簡単な説明】
【００２７】
【図１】本発明のマウス用カバーシートの一実施例の平面図である。
【図２】本発明のマウス用カバーシートの断面図である。
【図３】マウス用カバーシートをスクロールダイヤルのないマウスに装着した状態を示す斜視図である。
【図４】マウス用カバーシートをスクロールダイヤルのあるマウスに装着した状態を示す斜視図である。
【符号の説明】
【００２８】
１  マウス用カバーシート
２  固定シート
２ａ  固定用舌片
２ｃ  切取用舌片
３  粘着剤
４  剥離シート
５  切込線５
６  破断線６
【図１】
2008210298.tif 000003
【図２】
2008210298.tif 000004
【図３】
2008210298.tif 000005
【図４】
2008210298.tif 000006